(57)【要約】【課題】  スロットマシンに対する試射試験の自動化を図る。【解決手段】  本発明に係るスロットマシン１の試射試験機は、スロットマシン１を収容保持する遊技機収容部と、遊技機収容部に設けられ、遊技機収容部に収容保持されたスロットマシン１の操作部３７を操作する操作装置と、スロットマシン１から出力されたスロットマシンの遊技情報を示す遊技情報信号が入力される遊技状態入力部２１３と、遊技状態入力部２１３に入力された遊技情報信号に応じて操作装置（電磁弁ユニット１１２）に作動制御信号を出力する作動制御部２１１とを備えて構成される。【選択図】  図９
2005348958.tif 000002
【特許請求の範囲】
【請求項１】
遊技機を収容保持する遊技機収容部と、
前記遊技機収容部に設けられ、前記遊技機収容部に収容保持された前記遊技機の操作部を操作する操作装置と、
前記遊技機から出力された前記遊技機の遊技情報を示す遊技情報信号が入力される遊技状態入力部と、
前記遊技状態入力部に入力された前記遊技情報信号に応じて前記操作装置に作動制御信号を出力する作動制御部とを備えて構成されることを特徴とする遊技機の試射試験機。
【請求項２】
前記遊技機の操作部から出力された操作信号が入力される操作信号入力部と、
前記作動制御部から出力された前記作動制御信号に対応する前記操作信号が前記操作信号入力部において非入力状態になると、前記作動制御部による前記作動制御信号の出力を規制する作動規制部とを備えて構成されることを特徴とする請求項１に記載の遊技機の試射試験機。
【請求項３】
前記試射試験機による前記遊技機の遊技回数を計数可能な計数装置を備えて構成されることを特徴とする請求項１もしくは請求項２に記載の遊技機の試射試験機。
【請求項４】
前記操作装置は、空気圧を利用して作動するエアシリンダと、
前記エアシリンダを作動させるためのエアを前記エアシリンダに供給するためのエア供給路と、
前記エア供給路を開閉する電磁弁とを有して構成され、
前記作動制御部は、前記遊技情報信号に応じて前記電磁弁に前記作動制御信号を出力することを特徴とする請求項１から請求項３のうちいずれか一項に記載の遊技機の試射試験機。
【発明の詳細な説明】
【技術分野】
【０００１】
本発明は、スロットマシン等に代表される遊技機の試射試験機に関する。
【背景技術】
【０００２】
遊技機の一つであるスロットマシンは、所定の図柄を表示した複数のリールと、各リールを始動・停止させるために遊技者が操作する操作部とを備えて構成されており、遊技者がこの操作部を操作することで所定の遊技が行われる。操作部には、ベットボタンや、ゲームの開始を指示するためのスタートレバー、回転中のリールを停止させるためのストップボタン等が設けられる。
【０００３】
ところで、スロットマシンに対し、例えば、所定の検査プログラムを搭載した試験装置による試験（例えば、特開２００４−４９６７０号公報を参照）や、構成部品単体の試験、スロットマシンを実際に試射する試射試験といった種々の試験が行われている。スロットマシンの試射試験（デバッグ）は、従来、人間の操作により（手動で）行われており、試射試験の自動化のため、スロットマシンの操作部を自動的に操作する操作装置を備えた試射試験機の開発が進められている。
【特許文献１】特開２００４−４９６７０号公報
【発明の開示】
【発明が解決しようとする課題】
【０００４】
上述のように、スロットマシンの試射試験は人間の操作により（手動で）行われるが、スロットマシンの試射試験は長い時間と多くの人手を要するため、十分な試験を行うのに多大な労力を費やしていた。また、近年、例えば、いわゆるアシストタイムと称される特定役に入賞した場合のように、（スロットマシンから）外部出力された情報に応じて（遊技）操作を行うスロットマシンが多く存在するため、試射試験の自動化が困難であった。
【０００５】
本発明は、このような問題に鑑みてなされたものであり、遊技機（スロットマシン）に対する試射試験の自動化を図ることを目的とする。
【課題を解決するための手段】
【０００６】
このような目的達成のため、本発明に係る遊技機の試射試験機は、遊技機を収容保持する遊技機収容部と、遊技機収容部に設けられ、遊技機収容部に収容保持された遊技機の操作部を操作する操作装置と、遊技機から出力された遊技機の遊技情報を示す遊技情報信号が入力される遊技状態入力部と、遊技状態入力部に入力された遊技情報信号に応じて操作装置に作動制御信号を出力する作動制御部とを備えて構成される。
【０００７】
また、上述の発明において、遊技機の操作部から出力された操作信号が入力される操作信号入力部と、作動制御部から出力された作動制御信号に対応する操作信号が操作信号入力部において非入力状態になると、作動制御部による作動制御信号の出力を規制する作動規制部とを備えて構成されることが好ましい。
【０００８】
さらに、上述の発明において、試射試験機による遊技機の遊技回数を計数可能な計数装置を備えて構成されることが好ましい。
【０００９】
また、操作装置は、空気圧を利用して作動するエアシリンダと、エアシリンダを作動させるためのエアをエアシリンダに供給するためのエア供給路と、エア供給路を開閉する電磁弁とを有して構成され、作動制御部は、遊技情報信号に応じて電磁弁に作動制御信号を出力することが好ましい。
【発明の効果】
【００１０】
本発明に係る遊技機の試射試験機によれば、遊技機から出力された遊技情報信号に応じて操作装置に作動制御信号を出力する作動制御部を備えて構成されるため、遊技機から出力される情報（遊技情報信号）に応じた操作を自動的に行うことができ、遊技機に対する試射試験の自動化が可能となる。
【００１１】
また、作動制御部から出力された作動制御信号に対応する（操作部の）操作信号が操作信号入力部において非入力状態になると、作動制御部による作動制御信号の出力を規制する作動規制部を備えて構成されることで、遊技機における操作部の故障時に試射試験を自動的に停止することができる。
【００１２】
さらに、試射試験機による遊技機の遊技回数を計数可能な計数装置を備えて構成されることで、試射試験における遊技機の遊技回数を随時認識することができる。
【００１３】
また、操作装置が空気圧を利用して作動するエアシリンダを有して構成されることで、試射試験機（操作装置）のメンテナンスを簡易にすることができる。
【発明を実施するための最良の形態】
【００１４】
以下、本発明の好ましい実施形態について図面を参照しながら説明する。まず、本発明に係る試射試験機を用いて試射試験を行うスロットマシン１について、図１および図２を参照しながら要約説明する。このスロットマシン１は、前面側に開口を有する箱状の筐体２と、この開口を開閉自在に覆って取り付けられるフロントドア３とから構成される。フロントドア３は、筐体２およびフロントドア３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１５】
筐体２の内部には、図２に示すように、円筒外周面に沿って多種の図柄が設けられた回転可能な三つのリール２１ａ，２１ｂ，２１ｃを備えるリールユニット２２と、遊技メダルの払出を行うホッパーユニット２３と、ホッパーユニット２３から溢れた遊技メダルを収容するための補助貯留部２４と、スロットマシン1の作動を統括的に制御する主基板２５と、遊技場のホールコンピュータ（図示せず）と電気的に接続される外部集中端子基板２６と、リールユニット２２やホッパーユニット２３、主基板２５等の構成機器に電力を供給する電源ユニット２７とが配設される。
【００１６】
フロントドア３の上部には、図１に示すように、上部演出用ランプ３１と、左右の上部スピーカ３２ａ，３２ｂと、液晶ディスプレイ等で構成された演出表示装置３３とが配設される。また、図２に示すように、フロントドア３の上部裏面側にはサブ制御基板３４が配設されており、図示しないワイヤーハーネスで筐体２側の主基板２５と電気的に接続されている。
【００１７】
フロントドア３の中間部には、三つのリール２１ａ，２１ｂ，２１ｃと位置整合して透視窓３５が配設されており、三つのリールの所定範囲を機体正面に臨ませている。また、透視窓３５の下方には遊技者が操作するための操作部３７が設けられ、この操作部３７には、遊技メダルを投入するためのメダル投入部３８と、１ゲーム当たりのメダル数を設定するためのベットボタン３９ａ，３９ｂと、１ゲームの開始を指示するためのスタートレバー４０と、回転中のリール２１ａ，２１ｂ，２１ｃを個別に停止させるための三つのストップボタン４１ａ，４１ｂ，４１ｃと、遊技メダルの返却ボタン４２とが配設される。
【００１８】
フロントドア３の下部には、フロントドア３の裏面側に設けられた第３ガイド部材４７ｃと位置整合してメダル払出口４３が設けられるとともに、その下部に受け皿４４が設けられており、さらにメダル払出口４３の近傍に左右の下部スピーカ４５ａ，４５ｂが配設されている。また、図２に示すように、フロントドア３の下部裏面側には、メダル投入部３８より投入される投入物を正規の（有効な）遊技メダルか否か選別して振り分けるメダルセレクタ４６、メダルセレクタ４６で振り分けられた正規の遊技メダルを筐体２側に設けられているホッパーユニット２３へ案内する第１ガイド部材４７ａ、メダルセレクタ１００で振り分けられた無効のメダル等をメダル払出口４３へ案内して排出する第２ガイド部材４７ｂ、ホッパーユニット２３から払い出される払い出し用のメダルをメダル払出口４３へ案内して出力する第３ガイド部材４７ｃ等が設けられている。
【００１９】
さらに、メダルセレクタ４６の上方に位置して長尺状の中央表示基板５０が配設されており、この中央表示基板５０の裏面側の一端には、設定ボタン４８と、数字の０から６までのセグメント表示を行う発光ダイオードで形成された設定表示素子４９とが設けられている。さらに、図１に示すように、中央表示基板５０の前面側には、スロットマシン１にストックされた遊技メダルの枚数を表示する貯留枚数表示部５１と、役の当選回数を表示する回数表示部５２と、入賞時に払い出される遊技メダルの枚数を表示する払出枚数表示部５３とが前面側から視認可能に設けられている。
【００２０】
このようなスロットマシン１で遊技を行うには、まず、遊技者がメダル投入部３８に遊技メダルを投入して各ベットボタン３９ａ，３９ｂのいずれか一つを操作し、スタートレバー４０を操作すると三つのリール２１ａ，２１ｂ，２１ｃが回転起動する。次に、遊技者は回転している三つのリール２１ａ，２１ｂ，２１ｃを任意に選択し、所望の順序及びタイミングで各ストップボタン４１ａ，４１ｂ，４１ｃを操作して、三つのリール２１ａ，２１ｂ，２１ｃを停止させる。
【００２１】
回転していた三つのリール２１ａ，２１ｂ，２１ｃが全て停止すると、入賞図柄の判定、すなわち当たりかはずれかの判定が行われ、図柄の組み合わせが予め定められた入賞図柄の組み合わせに該当するときには、ホッパーユニット２３より所定枚数の遊技メダルが払い出される。このように本スロットマシン１で遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００２２】
次に、スロットマシン１の試射試験を行う試射試験機１００について図３〜図８を参照しながら説明する。試射試験機１００は、図３に示すように、スロットマシン１を収容保持する遊技機収容部１０１と、遊技機収容部１０１に収容保持されたスロットマシン１の操作部３７を操作する操作装置１０５と、操作装置１０５をスロットマシン１の操作部３７に対し相対移動可能に保持する操作装置保持部１０８とを主体に構成される。
【００２３】
遊技機収容部１０１は、スロットマシン１が収容される筐体部１１０と、筐体部１１０の前面側に着脱開閉自在に設けられた扉部１３０とを主体に構成される。これにより、遊技機収容部１０１に対するスロットマシン１の出し入れを容易に行うことができる。筐体部１１０は、アルミニウム合金等の金属板材を組み立てることにより上面および前面側に開口を有する箱状に形成され、その内部にスロットマシン１を収容可能に構成される。なお、筐体部１１０および扉部１３０の材料としてアルミニウム合金を用いることが好ましく、これにより、十分な強度を確保しつつ筐体部１１０および扉部１３０を軽量化することができ、さらに、筐体部１１０および扉部１３０を容易に加工することができる。
【００２４】
筐体部１１０の左側面には、図３に示すように、レギュレータ１１１および電磁弁ユニット１１２が配設されており、図示しないエア源から供給される圧縮空気がレギュレータ１１１および電磁弁ユニット１１２を介して操作装置１０５の各エアシリンダに供給されるようになっている。また、電磁弁ユニット１１２の下方に位置して水入れホルダ１１３が設けられており、この水入れホルダ１１３には、電磁弁ユニット１１２から排出された水を溜めておく水入れ１１４が載置されている。一方、図４に示すように、筐体部１１０の右側面前端には上部ラッチ１１８および下部ラッチ１１９が設けられており、扉部１３０に設けられた上下の止め金１４３，１４４と係合可能に構成されている。
【００２５】
図４に示すように、筐体部１１０の底部左右には、左位置決めブロック１１５および右位置決めブロック１１６が着脱自在に取り付けられており、スロットマシン１の左右方向の位置決めが行われるようになっている。筐体部１１０の底部後方には、後ろ位置決めブロック１１７が着脱自在に取り付けられており、スロットマシン１の前後方向（後方）の位置決めが行われるようになっている。なお、左右の位置決めブロック１１５，１１６および後ろ位置決めブロック１１７は筐体部１１０に対して着脱自在であるため、スロットマシンの外形寸法に合わせて各位置決めブロックの大きさおよび形状を変更することができる。
【００２６】
筐体部１１０の左右内側には、左押さえブロック１２１および右押さえブロック１２２が設けられており、筐体部１１０に収容されたスロットマシン１を左右から押さえて固定保持するようになっている。左右の押さえブロック１２１，１２２は、筐体部１１０を貫通するガイド軸１２５を用いて左右へスライド移動可能に保持されており、各ガイド軸１２５の両脇に設けられた押さえネジ１２６（右ネジ）をそれぞれ時計回りに回転させることで、押さえネジ１２６とともに左右の押さえブロック１２１，１２２が筐体部１１０の内方へ移動してスロットマシン１を押さえるようになっている。このように、左右の押さえブロック１２１，１２２は左右へスライド移動可能であるため、スロットマシン１をその外形寸法に応じて固定保持することができる。
【００２７】
筐体部１１０の後部内側には、後ろ押さえブロック１２３が左右に設けられており、筐体部１１０に収容されたスロットマシン１の裏面側をそれぞれ支持するようになっている。後ろ押さえブロック１２３は、左右の押さえブロック１２１，１２２と同様に、筐体部１１０を貫通するガイド軸１２５を用いて前後へスライド移動可能に保持されており、ガイド軸１２５の両脇に設けられた押さえネジ１２６（右ネジ）をそれぞれ時計回りに回転させることで、押さえネジ１２６とともに後ろ押さえブロック１２３が筐体部１１０の内方（前方）へ移動してスロットマシン１を押さえる（支持する）ようになっている。このように、後ろ押さえブロック１２３は前後へスライド移動可能であるため、スロットマシン１の裏面側をその外形寸法に応じて支持することができる。
【００２８】
扉部１３０は、図３および図７に示すように、アルミニウム合金等の金属材料を用いて方形枠状に形成され、筐体部１１０および扉部１３０の左側縁に跨って配設された上下のヒンジ機構１４１，１４２を用いて筐体部１１０の前面側に着脱開閉自在に取り付けられる。扉部１３０の左側には、略直方体形の左レール１３１が上下に延設されており、左レール１３１の上下左側に前述のヒンジ機構１４１，１４２がそれぞれ配設されている。図６に示すように、左レール１３１の側部４箇所には、蟻溝状の左レール溝１３１ａがそれぞれ上下に延びて形成されている。
【００２９】
扉部１３０の右側には、略直方体形の右レール１３３が上下に延設されている。図７に示すように、右レール１３３の側部６箇所には、蟻溝状の右レール溝１３３ａがそれぞれ上下に延びて形成されている。また、右レール１３３の右側には上部止め金１４３および下部止め金１４４がネジ固定されており、扉部１３０が筐体部１１０に対して閉じた状態で、筐体部１１０の上部ラッチ１１８および下部ラッチ１１９（図４を参照）がそれぞれ係合するようになっている。これにより、扉部１３０を筐体部１１０に対し閉止状態で容易に仮止めすることができる。さらに、右レール１３３の右側には上部固定金具１４５および下部固定金具１４６がネジ固定されており、扉部１３０が筐体部１１０に対して閉じた状態で、筐体部１１０の右側面に対しネジ固定可能に構成されている。これにより、扉部１３０が筐体部１１０に対して確実に閉止保持される。
【００３０】
扉部１３０の上部には、図３および図７に示すように、略直方体形の上レール１３５が左右に延設されており、上レール１３５の左右両端は左レール１３１および右レール１３３の上部にそれぞれ連結固定されている。上レール１３５の左右両端は、六角穴付きボルト１８３および角形ナット１８４（図８を参照）を用いて、左および右レール１３１，１３３の各レール溝１３１ａ，１３３ａ（右側の左レール溝１３１ａおよび左側の右レール溝１３３ａ）に締結固定されており、六角穴付きボルト１８３のネジ締結を緩めることで、上レール１３５が左右のレール１３１，１３３に対し上下にスライド移動できるようになっている。また、上レール１３５の側部６箇所には、図５に示すように、蟻溝状の上レール溝１３５ａがそれぞれ左右に延びて形成されている。
【００３１】
扉部１３０の下部には、図３および図７に示すように、略直方体形の下レール１３７が左右に延設されており、下レール１３７の左右両端は左レール１３１および右レール１３３の下部にそれぞれ連結固定されている。下レール１３７の左右両端は、六角穴付きボルト１８３および角形ナット１８４を用いて、左および右レール１３１，１３３の各レール溝１３１ａ，１３３ａ（右側の左レール溝１３１ａおよび左側の右レール溝１３３ａ）に締結固定されており、六角穴付きボルト１８３のネジ締結を緩めることで、下レール１３７が左右のレール１３１，１３３に対し上下にスライド移動できるようになっている。また、下レール１３７の側部６箇所には、図５に示すように、蟻溝状の下レール溝１３７ａがそれぞれ左右に延びて形成されている。
【００３２】
扉部１３０の中央部には、図３および図７に示すように、略直方体形の中間レール１３９が左右に延設されており、中間レール１３９の左右両端は左レール１３１および右レール１３３の中央部にそれぞれ連結固定されている。中間レール１３９の左右両端は、六角穴付きボルト１８３および角形ナット１８４を用いて、左および右レール１３１，１３３の各レール溝１３１ａ，１３３ａ（右側の左レール溝１３１ａおよび左側の右レール溝１３３ａ）に締結固定されており、六角穴付きボルト１８３のネジ締結を緩めることで、中間レール１３９が左右のレール１３１，１３３に対し上下にスライド移動できるようになっている。また、中間レール１３９の側部６箇所には、図５に示すように、蟻溝状の中間レール溝１３９ａがそれぞれ左右に延びて形成されている。
【００３３】
また、上レール１３５と中間レール１３９との間における左右２箇所には、図３および図７に示すように、補強ブラケット１４７がそれぞれ上下に延設されており、補強ブラケット１４７の上下両端は上レール１３５および中間レール１３９の左右にそれぞれ連結固定されている。補強ブラケット１４７の上下両端は、六角穴付きボルト１８３および角形ナット１８４を用いて、上レール１３５および中間レール１３９の各レール溝１３５ａ，１３９ａ（下側の上レール溝１３５ａおよび上側の中間レール溝１３９ａ）に締結固定されており、六角穴付きボルト１８３のネジ締結を緩めることで、補強ブラケット１４７が上レール１３５および中間レール１３９に対し左右にスライド移動できるようになっている。また、補強ブラケット１４７の側部４箇所には、図５に示すように、蟻溝状のブラケット溝１４７ａがそれぞれ上下に延びて形成されている。
【００３４】
操作装置１０５は、図５に示すように、スロットマシン１の第２ベットボタン３９ｂ（図１を参照）を操作する第１操作装置１５０と、スタートレバー４０（図１を参照）を操作する第２操作装置１５５と、第１ストップボタン４１ａ（図１を参照）を操作する第３操作装置１６０と、第２ストップボタン４１ｂ（図１を参照）を操作する第４操作装置１６５と、第３ストップボタン４１ｃ（図１を参照）を操作する第５操作装置１７０とから構成される。なお、第１操作装置１５０は、位置調整を行うことでスロットマシン１の第１ベットボタン３９ａを操作可能であるが、本実施形態では第２ベットボタン３９ｂを操作する場合について以下に説明する。
【００３５】
さて、第１操作装置１５０は、図５に示すように、空気圧を利用して作動する第１エアシリンダ１５１を主体に構成される。第１エアシリンダ１５１の基端側は、第１伸長エアチューブ１５２ａを介して電磁弁ユニット１１２と接続されており、電磁弁ユニット１１２から第１伸長エアチューブ１５２ａを介して供給される圧縮空気により第１エアシリンダ１５１が伸長作動するようになっている。一方、第１エアシリンダ１５１の先端側は、第１縮小エアチューブ１５２ｂを介して電磁弁ユニット１１２と接続されており、電磁弁ユニット１１２から第１縮小エアチューブ１５２ｂを介して供給される圧縮空気により第１エアシリンダ１５１が縮小作動するようになっている。
【００３６】
図７および図８に示すように、第１エアシリンダ１５１のロッド部先端には、円柱状の第１当接部１５３が設けられており、第１エアシリンダ１５１が伸長作動するときに、スロットマシン１の第２ベットボタン３９ｂへ当接するようになっている。これにより、第１エアシリンダ１５１が伸長作動することで、第２ベットボタン３９ｂを押し操作（押圧）することができる。
【００３７】
第２操作装置１５５は、図５に示すように、空気圧を利用して作動する第２エアシリンダ１５６を主体に構成される。第２エアシリンダ１５６の基端側は、第２伸長エアチューブ１５７ａを介して電磁弁ユニット１１２と接続されており、電磁弁ユニット１１２から第２伸長エアチューブ１５７ａを介して供給される圧縮空気により第２エアシリンダ１５６が伸長作動するようになっている。一方、第２エアシリンダ１５６の先端側は、第２縮小エアチューブ１５７ｂを介して電磁弁ユニット１１２と接続されており、電磁弁ユニット１１２から第２縮小エアチューブ１５７ｂを介して供給される圧縮空気により第２エアシリンダ１５６が縮小作動するようになっている。
【００３８】
図７および図８に示すように、第２エアシリンダ１５６のロッド部先端には、円柱状の第２当接部１５８が設けられており、第２エアシリンダ１５６が伸長作動するときに、スロットマシン１のスタートレバー４０上端へ当接するようになっている。これにより、第２エアシリンダ１５６が伸長作動することで、スタートレバー４０を揺動操作（上方から押圧して揺動させる操作）することができる。
【００３９】
第３操作装置１６０は、図６に示すように、空気圧を利用して作動する第３エアシリンダ１６１を主体に構成される。第３エアシリンダ１６１の基端側は、第３伸長エアチューブ１６２ａを介して電磁弁ユニット１１２と接続されており、電磁弁ユニット１１２から第３伸長エアチューブ１６２ａを介して供給される圧縮空気により第３エアシリンダ１６１が伸長作動するようになっている。一方、第３エアシリンダ１６１の先端側は、第３縮小エアチューブ１６２ｂを介して電磁弁ユニット１１２と接続されており、電磁弁ユニット１１２から第３縮小エアチューブ１６２ｂを介して供給される圧縮空気により第３エアシリンダ１６１が縮小作動するようになっている。
【００４０】
第３エアシリンダ１６１のロッド部先端には、円柱状の第３当接部１６３が設けられており、第３エアシリンダ１６１が伸長作動するときに、スロットマシン１の第１ストップボタン４１ａへ当接するようになっている。これにより、第３エアシリンダ１６１が伸長作動することで、第１ストップボタン４１ａを押し操作（押圧）することができる。
【００４１】
第４操作装置１６５は、図６に示すように、空気圧を利用して作動する第４エアシリンダ１６６を主体に構成される。第４エアシリンダ１６６の基端側は、第４伸長エアチューブ１６７ａを介して電磁弁ユニット１１２と接続されており、電磁弁ユニット１１２から第４伸長エアチューブ１６７ａを介して供給される圧縮空気により第４エアシリンダ１６６が伸長作動するようになっている。一方、第４エアシリンダ１６６の先端側は、第４縮小エアチューブ１６７ｂを介して電磁弁ユニット１１２と接続されており、電磁弁ユニット１１２から第４縮小エアチューブ１６７ｂを介して供給される圧縮空気により第４エアシリンダ１６６が縮小作動するようになっている。
【００４２】
第４エアシリンダ１６６のロッド部先端には、円柱状の第４当接部１６８が設けられており、第４エアシリンダ１６６が伸長作動するときに、スロットマシン１の第２ストップボタン４１ｂへ当接するようになっている。これにより、第４エアシリンダ１６６が伸長作動することで、第２ストップボタン４１ｂを押し操作（押圧）することができる。
【００４３】
第５操作装置１７０は、図６に示すように、空気圧を利用して作動する第５エアシリンダ１７１を主体に構成される。第５エアシリンダ１７１の基端側は、第５伸長エアチューブ１７２ａを介して電磁弁ユニット１１２と接続されており、電磁弁ユニット１１２から第５伸長エアチューブ１７２ａを介して供給される圧縮空気により第５エアシリンダ１７１が伸長作動するようになっている。一方、第５エアシリンダ１７１の先端側は、第５縮小エアチューブ１７２ｂを介して電磁弁ユニット１１２と接続されており、電磁弁ユニット１１２から第５縮小エアチューブ１７２ｂを介して供給される圧縮空気により第５エアシリンダ１７１が縮小作動するようになっている。
【００４４】
第５エアシリンダ１７１のロッド部先端には、円柱状の第５当接部１７３が設けられており、第５エアシリンダ１７１が伸長作動するときに、スロットマシン１の第３ストップボタン４１ｃへ当接するようになっている。これにより、第５エアシリンダ１７１が伸長作動することで、第３ストップボタン４１ｃを押し操作（押圧）することができる。
【００４５】
そして、上述のように、各操作装置の駆動源としてエアシリンダが使用されることで、ソレノイドと比べて金属粉等による汚れが少なく、グリスアップ等のメンテナンスの回数を減らすことができ、試射試験機のメンテナンスを簡易にすることができる。なお、詳細図示しないが、第１〜第５当接部の先端には、ラバーやポリアセタール樹脂等からなる緩衝部材（図示せず）が取り付けられており、第１〜第５当接部が各ボタン（レバー）に当接する際の衝撃を和らげる（人間の操作に近くする）ようになっている。
【００４６】
操作装置保持部１０８は、図６および図７に示すように、第１操作装置１５０を着脱可能に保持する第１保持部材１８０と、第２操作装置１５５を着脱可能に保持する第２保持部材１８５と、第３操作装置１６０を着脱可能に保持する第３保持部材１９０と、第４操作装置１６５を着脱可能に保持する第４保持部材１９３と、第５操作装置１７０を着脱可能に保持する第５保持部材１９６とを主体に構成される。
【００４７】
第１保持部材１８０は、扉部１３０の上方に設けられた第１前後レール１８１の先端に取り付けられており、スロットマシン１の第２ベットボタン３９ｂに対向する位置で第１操作装置１５０（第１エアシリンダ１５１）を固定保持するようになっている。第１保持部材１８０の側部には、図５に示すように、長穴１８０ａが円弧状に延びて形成されており、六角穴付きボルト１８０ｂをこの長穴１８０ａに通過させて第１前後レール１８１にネジ固定することで、第１保持部材１８０が第１前後レール１８１の先端に揺動可能に取り付けられる。
【００４８】
第１前後レール１８１は、前後方向へ延びる略直方体形のレールであり、取付ブラケット１８２により前後へスライド移動可能に取付保持されている。図５に示すように、第１前後レール１８１の側部４箇所には、蟻溝状の第１前後レール溝１８１ａがそれぞれ前後に延びて形成されている。取付ブラケット１８２は、断面視Ｌ字形に形成され、取付ブラケット１８２の側部が第１前後レール１８１に連結固定されるとともに、取付ブラケット１８２の底部が扉部１３０の上レール１３５（あるいは、第２前後レール１８６）に連結固定される。
【００４９】
取付ブラケット１８２の側部は、六角穴付きボルト１８３および角形ナット１８４を用いて、第１前後レール１８１の第１前後レール溝１８１ａ（左右の第１前後レール溝１８１ａ）に締結固定されており、六角穴付きボルト１８３のネジ締結を緩めることで、第１前後レール１８１が取付ブラケット１８２（すなわち、扉部１３０）に対し前後にスライド移動できるようになっている。一方、取付ブラケット１８２の底部は、六角穴付きボルト１８３および角形ナット１８４を用いて、上レール１３５の上レール溝１３５ａ（あるいは、第２前後レール１８６の第２前後レール溝１８６ａ）に締結固定されており、六角穴付きボルト１８３のネジ締結を緩めることで、取付ブラケット１８２が上レール１３５（すなわち、扉部１３０）に対し左右にスライド移動できるようになっている。
【００５０】
これにより、第１前後レール１８１を前後にスライド移動させたり、取付ブラケット１８２を第１前後レール１８１とともに左右にスライド移動させたりすることで、第１保持部材１８０に保持された第１操作装置１５０を第２ベットボタン３９ｂ（スロットマシン１）に対し前後左右方向へ相対移動させることができる。また、第１保持部材１８０を第１前後レール１８１に対し揺動させることで、第１操作装置１５０の第２ベットボタン３９ｂに対する角度を変更することができる。さらに、上レール１３５を上下にスライド移動させることで、第１操作装置１５０を第２ベットボタン３９ｂに対し上下方向へ相対移動させることができる。
【００５１】
第２保持部材１８５は、図８に示すように、扉部１３０における上レール１３５の裏面側に設けられた第２前後レール１８６の左側先端に取り付けられており、スタートレバー４０の上方に位置するように第２操作装置１５５（第２エアシリンダ１５６）を固定保持するようになっている。第２前後レール１８６は、図６に示すように、平面視Ｈ形のレールであり、基端側が左右の取付ステー１８７により前後へスライド移動可能に取付保持されている。図５に示すように、第２前後レール１８６の側部には、蟻溝状の複数の第２前後レール溝１８６ａがそれぞれ前後もしくは左右に延びて形成されている。
【００５２】
取付ステー１８７は、側面視逆Ｌ字形の板状に形成され、取付ステー１８７の上部が第２前後レール１８６に連結固定されるとともに、取付ステー１８７の下部が扉部１３０の上レール１３５に連結固定される。取付ステー１８７の下部は、六角穴付きボルト１８３および角形ナット１８４を用いて、上レール１３５の上レール溝１３５ａ（正面側の上レール溝１３５ａ）に締結固定されており、六角穴付きボルト１８３のネジ締結を緩めることで、取付ステー１８７が上レール１３５（すなわち、扉部１３０）に対し左右にスライド移動できるようになっている。
【００５３】
一方、取付ステー１８７の上部は、六角穴付きボルト１８３および角形ナット１８４を用いて、第２前後レール１８６の第２前後レール溝１８６ａ（左右上面側の第２前後レール溝１８６ａ）に締結固定されており、六角穴付きボルト１８３のネジ締結を緩めることで、第２前後レール１８６が取付ステー１８７（すなわち、扉部１３０）に対し前後にスライド移動できるようになっている。なお、角形ナット１８４は、例えば、図８に示すように、第２前後レール溝１８６ａ（各レール溝）の内側に係止可能に構成されており、六角穴付きボルト１８３をネジ締結させることで、摩擦力により（取付部品とともに）各レール溝（例えば、第２前後レール溝１８６ａ）内に固定され、六角穴付きボルト１８３のネジ締結を緩めることで、六角穴付きボルト１８３とともに各レール溝（例えば、第２前後レール溝１８６ａ）内をスライド移動できるようになっている。
【００５４】
これにより、第２前後レール１８６を前後にスライド移動させたり、取付ステー１８７を第２前後レール１８６とともに左右にスライド移動させたりすることで、第２保持部材１８５に保持された第２操作装置１５５をスタートレバー４０（スロットマシン１）に対し前後左右方向へ相対移動させることができる。また、上レール１３５を上下にスライド移動させることで、第２操作装置１５５をスタートレバー４０に対し上下方向へ相対移動させることができる。
【００５５】
第３保持部材１９０は、図６〜図８に示すように、扉部１３０における中間レール１３９の裏面側中央に設けられた第３前後レール１９１の上部に取り付けられており、スロットマシン１の第１ストップボタン４１ａに対向する位置で第３操作装置１６０（第３エアシリンダ１６１）を固定保持するようになっている。第３前後レール１９１は、前後方向へ延びる側面視逆Ｌ字形のレールであり、第３前後レール１９１の下部が扉部１３０の中間レール１３９に連結固定されている。図８に示すように、第３前後レール１９１の側部８箇所には、蟻溝状の第３前後レール溝１９１ａがそれぞれ前後に延びて形成されている。
【００５６】
第３保持部材１９０は、六角穴付きボルト１８３および角形ナット１８４を用いて、第３前後レール１９１の第３前後レール溝１９１ａ（上側の第３前後レール溝１９１ａ）に締結固定されており、六角穴付きボルト１８３のネジ締結を緩めることで、第３保持部材１９０が第３前後レール１９１（すなわち、扉部１３０）に対し前後にスライド移動できるようになっている。また、第３前後レール１９１の下部は、六角穴付きボルト１８３および角形ナット１８４を用いて、中間レール１３９の中間レール溝１３９ａ（裏面側の中間レール溝１３９ａ）に締結固定されており、六角穴付きボルト１８３のネジ締結を緩めることで、第３前後レール１９１が中間レール１３９（すなわち、扉部１３０）に対し左右にスライド移動できるようになっている。
【００５７】
これにより、第３保持部材１９０を前後にスライド移動させたり、第３前後レール１９１を左右にスライド移動させたりすることで、第３保持部材１９０に保持された第３操作装置１６０を第１ストップボタン４１ａ（スロットマシン１）に対し前後左右方向へ相対移動させることができる。また、中間レール１３９を上下にスライド移動させることで、第３操作装置１６０を第１ストップボタン４１ａに対し上下方向へ相対移動させることができる。
【００５８】
第４保持部材１９３は、第３保持部材１９０と同様に、第３前後レール１９１に隣接する第４前後レール１９４の上部に取り付けられており、スロットマシン１の第２ストップボタン４１ｂに対向する位置で第４操作装置１６５（第４エアシリンダ１６６）を固定保持するようになっている。第４前後レール１９４は、第３前後レール１９１と同様の形状であり、扉部１３０の中間レール１３９に連結固定されている。また、図８に示すように、第４前後レール１９４の側部８箇所には、蟻溝状の第４前後レール溝１９４ａがそれぞれ前後に延びて形成されている。
【００５９】
そして、第３保持部材１９０および第３前後レール１９１と同様に、第４保持部材１９３を前後にスライド移動させたり、第４前後レール１９４を左右にスライド移動させたりすることで、第４保持部材１９３に保持された第４操作装置１６５を第２ストップボタン４１ｂ（スロットマシン１）に対し前後左右方向へ相対移動させることができる。また、中間レール１３９を上下にスライド移動させることで、第４操作装置１６５を第２ストップボタン４１ｂに対し上下方向へ相対移動させることができる。
【００６０】
第５保持部材１９６は、第３保持部材１９０と同様に、第４前後レール１９４に隣接する第５前後レール１９７の上部に取り付けられており、スロットマシン１の第３ストップボタン４１ｃに対向する位置で第５操作装置１７０（第５エアシリンダ１７１）を固定保持するようになっている。第５前後レール１９７は、第３前後レール１９１と同様の形状であり、扉部１３０の中間レール１３９に連結固定されている。また、図８に示すように、第５前後レール１９７の側部８箇所には、蟻溝状の第５前後レール溝１９７ａがそれぞれ前後に延びて形成されている。
【００６１】
そして、第３保持部材１９０および第３前後レール１９１と同様に、第５保持部材１９６を前後にスライド移動させたり、第５前後レール１９７を左右にスライド移動させたりすることで、第３保持部材１９０に保持された第５操作装置１７０を第２ストップボタン４１ｃ（スロットマシン１）に対し前後左右方向へ相対移動させることができる。また、中間レール１３９を上下にスライド移動させることで、第５操作装置１７０を第３ストップボタン４１ｃに対し上下方向へ相対移動させることができる。
【００６２】
上述から分かるように、各操作装置（操作装置１０５）をスロットマシン１の操作部３７に対し相対移動可能に保持する操作装置保持部１０８により、スロットマシン１の寸法や操作部の配置等に合わせて各操作装置をスロットマシン１の操作部３７に対し相対移動させることができ、スロットマシン１の仕様変更に柔軟に対応することができる。また、操作装置保持部１０８が、各操作装置（第１〜第５操作装置）を着脱自在に保持する保持部材（第１〜第５保持部材）と、この保持部材がスライド移動自在に保持される各種レール部材と、保持部材を各種レール部材に締結固定するための締結部材（六角穴付きボルト１８３および角形ナット１８４）とを有して構成されることで、締結部材を用いて各操作装置の位置変更を容易に行うことができる。
【００６３】
ところで、扉部１３０の下部前面側には、図３に示すように、操作盤ユニット２００が取り付けられており、この操作盤ユニット２００には、試射試験機１００の作動を制御する制御装置２０１と、試射試験機１００によるスロットマシン１の遊技回数を計数する計数装置２０２と、制御装置２０１や計数装置２０２等の構成機器に電力を供給する電源供給部２０３とが設けられている。
【００６４】
続いて、試射試験機１００の制御装置２０１について図９を参照しながら説明する。この制御装置２０１は、電磁弁ユニット１１２に作動制御信号を出力する作動制御部２１１と、操作盤ユニット２００のスタートスイッチ２０５から出力された開始操作信号が入力される開始入力部２１２と、スロットマシン１から出力された遊技情報信号が入力される遊技状態入力部２１３と、スロットマシン１の操作部３７から出力された操作信号が入力される操作信号入力部２１４とを備えて構成される。
【００６５】
作動制御部２１１は、いわゆるプログラマブルコントローラ（シーケンサとも称される）であり、電磁弁ユニット１１２に構成される各電磁弁に電磁弁作動信号もしくは電磁弁作動停止信号を出力する。また、作動制御部２１１には、開始入力部２１２からの作動開始信号と、遊技状態入力部２１３からの遊技状態信号と、操作信号入力部２１４からの操作状態信号とが入力される。
【００６６】
開始入力部２１２には、操作盤ユニット２００に配設されたスタートスイッチ２０５からの開始操作信号が入力される。そして、スタートスイッチ２０５が操作され、開始入力部２１２に開始操作信号が入力されると、開始入力部２１２は作動制御部２１１へ作動開始信号を出力する。
【００６７】
遊技状態入力部２１３には、スロットマシン１の遊技情報を示す遊技情報信号が入力される。具体的には、スロットマシン１のサブ制御基板３４から出力される特定ランプ点灯信号が入力される。そして、遊技状態入力部２１３は、サブ制御基板３４から特定ランプ点灯信号が入力されると、作動制御部２１１へ特定操作信号を出力する。
【００６８】
なお、スロットマシン１のサブ制御基板３４は、いわゆるアシストタイム（押し順タイプ）と称される特定役の抽選を行っており、この特定役に当選すると、図１および図２では図示省略するガイドランプ３０（図９を参照）に特定ランプ点灯信号を出力し、ガイドランプ３０を点灯させてリール２１ａ，２１ｂ，２１ｃを停止させる順序を報知するようになっている。なお、図９の二点鎖線で示すように、ガイドランプ３０の発光を図示しない光学センサで検出して、その検出信号を遊技状態入力部２１３に入力するようにしてもよい。
【００６９】
操作信号入力部２１４には、スロットマシン１の操作部３７、すなわち、第２ベットボタン３９ｂと、スタートレバー４０と、第１ストップボタン４１ａと、第２ストップボタン４１ｂと、第３ストップボタン４１ｃとから出力された操作信号が入力される。そして、操作信号入力部２１４は、スロットマシン１の操作部３７から操作信号が入力されると、作動制御部２１１へ操作状態信号を出力する。
【００７０】
ところで、電磁弁ユニット１１２は、各操作装置のエアシリンダを伸長作動させるための第１〜第５伸長電磁弁と、各操作装置のエアシリンダを縮小作動させるための第１〜第５縮小電磁弁とを有して構成される。第１伸長電磁弁２５２ａは、一方がレギュレータ１１１と接続されるとともに、他方が第１伸長エアチューブ１５２ａを介して第１エアシリンダ１５１の基端側と接続される。そして、作動制御部２１１からの電磁弁作動信号を受けて第１伸長電磁弁２５２ａが作動すると、第１伸長電磁弁２５２ａの内部通路が開放状態となって、レギュレータ１１１からの圧縮空気が第１伸長電磁弁２５２ａおよび第１伸長エアチューブ１５２ａを介して第１エアシリンダ１５１（基端側）へ供給されるようになっている。
【００７１】
第１縮小電磁弁２５２ｂは、一方がレギュレータ１１１と接続されるとともに、他方が第１縮小エアチューブ１５２ｂを介して第１エアシリンダ１５１の先端側と接続される。そして、作動制御部２１１からの電磁弁作動信号を受けて第１縮小電磁弁２５２ｂが作動すると、第１縮小電磁弁２５２ｂの内部通路が開放状態となって、レギュレータ１１１からの圧縮空気が第１縮小電磁弁２５２ｂおよび第１縮小エアチューブ１５２ｂを介して第１エアシリンダ１５１（先端側）へ供給されるようになっている。
【００７２】
第２伸長電磁弁２５７ａは、一方がレギュレータ１１１と接続されるとともに、他方が第２伸長エアチューブ１５７ａを介して第２エアシリンダ１５６の基端側と接続される。そして、作動制御部２１１からの電磁弁作動信号を受けて第２伸長電磁弁２５７ａが作動すると、第２伸長電磁弁２５７ａの内部通路が開放状態となって、レギュレータ１１１からの圧縮空気が第２伸長電磁弁２５７ａおよび第２伸長エアチューブ１５７ａを介して第２エアシリンダ１５６（基端側）へ供給されるようになっている。
【００７３】
第２縮小電磁弁２５７ｂは、一方がレギュレータ１１１と接続されるとともに、他方が第２縮小エアチューブ１５７ｂを介して第２エアシリンダ１５６の先端側と接続される。そして、作動制御部２１１からの電磁弁作動信号を受けて第２縮小電磁弁２５７ｂが作動すると、第２縮小電磁弁２５７ｂの内部通路が開放状態となって、レギュレータ１１１からの圧縮空気が第２縮小電磁弁２５７ｂおよび第２縮小エアチューブ１５７ｂを介して第２エアシリンダ１５６（先端側）へ供給されるようになっている。
【００７４】
第３伸長電磁弁２６２ａは、一方がレギュレータ１１１と接続されるとともに、他方が第３伸長エアチューブ１６２ａを介して第３エアシリンダ１６１の基端側と接続される。そして、作動制御部２１１からの電磁弁作動信号を受けて第３伸長電磁弁２６２ａが作動すると、第３伸長電磁弁２６２ａの内部通路が開放状態となって、レギュレータ１１１からの圧縮空気が第３伸長電磁弁２６２ａおよび第３伸長エアチューブ１６２ａを介して第３エアシリンダ１６１（基端側）へ供給されるようになっている。
【００７５】
第３縮小電磁弁２６２ｂは、一方がレギュレータ１１１と接続されるとともに、他方が第３縮小エアチューブ１６２ｂを介して第３エアシリンダ１６１の先端側と接続される。そして、作動制御部２１１からの電磁弁作動信号を受けて第３縮小電磁弁２６２ｂが作動すると、第３縮小電磁弁２６２ｂの内部通路が開放状態となって、レギュレータ１１１からの圧縮空気が第３縮小電磁弁２６２ｂおよび第３縮小エアチューブ１６２ｂを介して第３エアシリンダ１６１（先端側）へ供給されるようになっている。
【００７６】
第４伸長電磁弁２６７ａは、一方がレギュレータ１１１と接続されるとともに、他方が第４伸長エアチューブ１６７ａを介して第４エアシリンダ１６６の基端側と接続される。そして、作動制御部２１１からの電磁弁作動信号を受けて第４伸長電磁弁２６７ａが作動すると、第４伸長電磁弁２６７ａの内部通路が開放状態となって、レギュレータ１１１からの圧縮空気が第４伸長電磁弁２６７ａおよび第４伸長エアチューブ１６７ａを介して第４エアシリンダ１６６（基端側）へ供給されるようになっている。
【００７７】
第４縮小電磁弁２６７ｂは、一方がレギュレータ１１１と接続されるとともに、他方が第４縮小エアチューブ１６７ｂを介して第４エアシリンダ１６６の先端側と接続される。そして、作動制御部２１１からの電磁弁作動信号を受けて第４縮小電磁弁２６７ｂが作動すると、第４縮小電磁弁２６７ｂの内部通路が開放状態となって、レギュレータ１１１からの圧縮空気が第４縮小電磁弁２６７ｂおよび第４縮小エアチューブ１６７ｂを介して第４エアシリンダ１６６（先端側）へ供給されるようになっている。
【００７８】
第５伸長電磁弁２７２ａは、一方がレギュレータ１１１と接続されるとともに、他方が第５伸長エアチューブ１７２ａを介して第５エアシリンダ１７１の基端側と接続される。そして、作動制御部２１１からの電磁弁作動信号を受けて第５伸長電磁弁２７２ａが作動すると、第５伸長電磁弁２７２ａの内部通路が開放状態となって、レギュレータ１１１からの圧縮空気が第５伸長電磁弁２７２ａおよび第５伸長エアチューブ１７２ａを介して第５エアシリンダ１７１（基端側）へ供給されるようになっている。
【００７９】
第５縮小電磁弁２７２ｂは、一方がレギュレータ１１１と接続されるとともに、他方が第５縮小エアチューブ１７２ｂを介して第５エアシリンダ１７１の先端側と接続される。そして、作動制御部２１１からの電磁弁作動信号を受けて第５縮小電磁弁２７２ｂが作動すると、第５縮小電磁弁２７２ｂの内部通路が開放状態となって、レギュレータ１１１からの圧縮空気が第５縮小電磁弁２７２ｂおよび第５縮小エアチューブ１７２ｂを介して第５エアシリンダ１７１（先端側）へ供給されるようになっている。
【００８０】
なお、作動制御部２１１から第１伸長電磁弁２５２ａへ出力された電磁弁作動信号は、計数装置２０２へ入力されるようになっており、計数装置２０２は、作動制御部２１１による電磁弁作動信号の出力回数を計数することで、試射試験機１００によるスロットマシン１の遊技回数を計数できるようになっている。また、計数装置２０２には、外部集中端子基板２６から出力された遊技情報が入力されるようになっており、計数装置２０２は、外部集中端子基板２６から出力された遊技情報を基に、遊技メダルの投入枚数および払出枚数、そして、レギュラーボーナスの当選回数およびビッグボーナスの当選回数を計数するようになっている。これにより、試射試験におけるスロットマシン１の遊技回数、さらには、レギュラーボーナスやビッグボーナスの当選回数等を随時認識することができる。
【００８１】
なお、第１伸長電磁弁２５２ａに限らず、作動制御部２１１から第５縮小電磁弁２７２ｂへ出力された電磁弁作動信号を計数装置２０２へ入力して、スロットマシン１の遊技回数を計数するようにしてもよい。さらに、スロットマシン１の操作部３７（すなわち、スタートレバー４０やストップボタン４１ａ，４１ｂ，４１ｃ等）から出力された操作信号を計数装置２０２へ入力して、スロットマシン１の遊技回数を計数するようにしてもよい。
【００８２】
以上のように構成されるスロットマシン１の試射試験機１００において、スロットマシン１の試射試験を行うには、まず、遊技機収容部１０１にスロットマシン１を収容保持する。スロットマシン１を遊技機収容部１０１に収容保持するには、扉部１３０を筐体部１１０に対して開放し、開放された筐体部１１０の前面側からスロットマシン１を筐体部１１０の内部に収容する。このとき、図４に示すように、左右の位置決めブロック１１５，１１６および後ろ位置決めブロック１１７を用いてスロットマシン１の位置決めを行うとともに、左右の押さえブロック１２１，１２２および後ろ押さえブロック１２３を用いてスロットマシン１を筐体部１１０内に固定保持する。
【００８３】
そして、扉部１３０を筐体部１１０に対して閉止させ、図４に示すように、筐体部１１０の上下のラッチ１１８，１１９を扉部１３０の上下の止め金１４３，１４４に係合させるとともに、扉部１３０の上下の固定金具１４５，１４６を筐体部１１０の右側面にネジ固定する。これにより、図３に示すように、扉部１３０が筐体部１１０に対して確実に閉止保持された状態で、スロットマシン１が遊技機収容部１０１に収容保持される。
【００８４】
このようにスロットマシン１を遊技機収容部１０１に収容保持し、操作装置保持部１０８により操作装置１０５の位置調整（スロットマシン１の操作部３７に対する相対移動）を行うとともに、所定の電気配線およびエア配管を行った後、操作盤ユニット２００のスタートスイッチ２０５を操作することにより、試射試験機１００によるスロットマシン１の試射試験が開始される。なお、試射試験において、スロットマシン１にストックされる遊技メダルの枚数は、常に所定の枚数となるように設定される（すなわち、ベットボタン３９ａ，３９ｂの操作が常に有効となるように設定される）。
【００８５】
続いて、試射試験機１００の作用について図１０に示すフローチャートを参照しながら説明する。スタートスイッチ２０５が操作され、開始入力部２１２にスタートスイッチ２０５からの開始操作信号が入力されると（図９を参照）、開始入力部２１２は作動制御部２１１へ作動開始信号を出力し、ステップＳ１に進んで試射試験機１００による試射が開始される。
【００８６】
ステップＳ１において、作動制御部２１１は第１伸長電磁弁２５２ａに電磁弁作動信号を出力し、第１操作装置１５０による第２ベットボタン３９ｂの操作を行う。このとき、レギュレータ１１１から第１伸長電磁弁２５２ａおよび第１伸長エアチューブ１５２ａを介して第１エアシリンダ１５１（基端側）に圧縮空気が供給され、第１エアシリンダ１５１が伸長作動するとともに、第１エアシリンダ１５１の第１当接部１５３が第２ベットボタン３９ｂに当接し、第２ベットボタン３９ｂが押し操作される。
【００８７】
また、作動制御部２１１は、第１伸長電磁弁２５２ａに電磁弁作動信号を出力すると、所定時間経過後、第１伸長電磁弁２５２ａに電磁弁作動停止信号を出力するとともに、第１縮小電磁弁２５２ｂに電磁弁作動信号を出力し、第１エアシリンダ１５１を縮小作動させてステップＳ２へ進む。このとき、レギュレータ１１１から第１縮小電磁弁２５２ｂおよび第１縮小エアチューブ１５２ｂを介して第１エアシリンダ１５１（先端側）に圧縮空気が供給され、第１エアシリンダ１５１が縮小作動して元に戻される。
【００８８】
ステップＳ２において、操作信号入力部２１４に第２ベットボタン３９ｂからの操作信号が入力されると、操作信号入力部２１４は作動制御部２１１に操作状態信号を出力し、ステップＳ３へ進む。このとき、スロットマシン１では、第２ベットボタン３９ｂの操作により所定枚数のメダルがベットされた（賭けられた）状態となる。
【００８９】
一方、ステップＳ２において、所定時間経過しても、操作信号入力部２１４に第２ベットボタン３９ｂからの操作信号が入力されない場合には、操作信号入力部２１４は作動制御部２１１に非操作状態信号を出力し、作動制御部２１１による（各電磁弁への）作動制御信号の出力を規制して試射試験が終了する。このとき、スロットマシン１では、第２ベットボタン３９ｂを操作したにもかかわらず、故障などの原因で第２ベットボタン３９ｂが操作信号を出力しない状態となっている。これにより、スロットマシン１における第２ベットボタン３９ｂの故障時に試射試験を自動的に停止することができる。
【００９０】
ステップＳ３において、作動制御部２１１は第２伸長電磁弁２５７ａに電磁弁作動信号を出力し、第２操作装置１５５によるスタートレバー４０の操作を行う。このとき、レギュレータ１１１から第２伸長電磁弁２５７ａおよび第２伸長エアチューブ１５７ａを介して第２エアシリンダ１５６（基端側）に圧縮空気が供給され、第２エアシリンダ１５６が伸長作動するとともに、第２エアシリンダ１５６の第２当接部１５８がスタートレバー４０上端に当接し、スタートレバー４０が揺動操作される。
【００９１】
また、作動制御部２１１は、第２伸長電磁弁２５７ａに電磁弁作動信号を出力すると、所定時間経過後、第２伸長電磁弁２５７ａに電磁弁作動停止信号を出力するとともに、第２縮小電磁弁２５７ｂに電磁弁作動信号を出力し、第２エアシリンダ１５６を縮小作動させてステップＳ４へ進む。このとき、レギュレータ１１１から第２縮小電磁弁２５７ｂおよび第２縮小エアチューブ１５７ｂを介して第２エアシリンダ１５６（先端側）に圧縮空気が供給され、第２エアシリンダ１５６が縮小作動して元に戻される。
【００９２】
ステップＳ４において、操作信号入力部２１４にスタートレバー４０からの操作信号が入力されると、操作信号入力部２１４は作動制御部２１１に操作状態信号を出力し、ステップＳ５へ進む。このとき、スロットマシン１では、スタートレバー４０の操作により三つのリール２１ａ，２１ｂ，２１ｃが回転起動された状態となる。
【００９３】
一方、ステップＳ４において、所定時間経過しても、操作信号入力部２１４にスタートレバー４０からの操作信号が入力されない場合には、操作信号入力部２１４は作動制御部２１１に非操作状態信号を出力し、作動制御部２１１による（各電磁弁への）作動制御信号の出力を規制して試射試験が終了する。このとき、スロットマシン１では、スタートレバー４０を操作したにもかかわらず、故障などの原因でスタートレバー４０が操作信号を出力しない状態となっている。これにより、スロットマシン１におけるスタートレバー４０の故障時に試射試験を自動的に停止することができる。
【００９４】
ステップＳ５において、作動制御部２１１は第３伸長電磁弁２６２ａに電磁弁作動信号を出力し、第３操作装置１６０による第１ストップボタン４１ａの操作を行う。このとき、レギュレータ１１１から第３伸長電磁弁２６２ａおよび第３伸長エアチューブ１６２ａを介して第３エアシリンダ１６１（基端側）に圧縮空気が供給され、第３エアシリンダ１６１が伸長作動するとともに、第３エアシリンダ１６１の第３当接部１６３が第１ストップボタン４１ａに当接し、第１ストップボタン４１ａが押し操作される。
【００９５】
また、作動制御部２１１は、第３伸長電磁弁２６２ａに電磁弁作動信号を出力すると、所定時間経過後、第３伸長電磁弁２６２ａに電磁弁作動停止信号を出力するとともに、第３縮小電磁弁２６２ｂに電磁弁作動信号を出力し、第３エアシリンダ１６１を縮小作動させてステップＳ６へ進む。このとき、レギュレータ１１１から第３縮小電磁弁２６２ｂおよび第３縮小エアチューブ１６２ｂを介して第３エアシリンダ１６１（先端側）に圧縮空気が供給され、第３エアシリンダ１６１が縮小作動して元に戻される。
【００９６】
ステップＳ６において、操作信号入力部２１４に第１ストップボタン４１ａからの操作信号が入力されると、操作信号入力部２１４は作動制御部２１１に操作状態信号を出力し、ステップＳ７へ進む。このとき、スロットマシン１では、第１ストップボタン４１ａの操作により第１のリール２１ａが停止された状態となる。
【００９７】
一方、ステップＳ６において、所定時間経過しても、操作信号入力部２１４に第１ストップボタン４１ａからの操作信号が入力されない場合には、操作信号入力部２１４は作動制御部２１１に非操作状態信号を出力し、作動制御部２１１による（各電磁弁への）作動制御信号の出力を規制して試射試験が終了する。このとき、スロットマシン１では、第１ストップボタン４１ａを操作したにもかかわらず、故障などの原因で第１ストップボタン４１ａが操作信号を出力しない状態となっている。これにより、スロットマシン１における第１ストップボタン４１ａの故障時に試射試験を自動的に停止することができる。
【００９８】
ステップＳ７において、作動制御部２１１は第４伸長電磁弁２６７ａに電磁弁作動信号を出力し、第４操作装置１６５による第２ストップボタン４１ｂの操作を行う。このとき、レギュレータ１１１から第４伸長電磁弁２６７ａおよび第４伸長エアチューブ１６７ａを介して第４エアシリンダ１６６（基端側）に圧縮空気が供給され、第４エアシリンダ１６６が伸長作動するとともに、第４エアシリンダ１６６の第４当接部１６８が第２ストップボタン４１ｂに当接し、第２ストップボタン４１ｂが押し操作される。
【００９９】
また、作動制御部２１１は、第４伸長電磁弁２６７ａに電磁弁作動信号を出力すると、所定時間経過後、第４伸長電磁弁２６７ａに電磁弁作動停止信号を出力するとともに、第４縮小電磁弁２６７ｂに電磁弁作動信号を出力し、第４エアシリンダ１６６を縮小作動させてステップＳ８へ進む。このとき、レギュレータ１１１から第４縮小電磁弁２６７ｂおよび第４縮小エアチューブ１６７ｂを介して第４エアシリンダ１６６（先端側）に圧縮空気が供給され、第４エアシリンダ１６６が縮小作動して元に戻される。
【０１００】
ステップＳ８において、操作信号入力部２１４に第２ストップボタン４１ｂからの操作信号が入力されると、操作信号入力部２１４は作動制御部２１１に操作状態信号を出力し、ステップＳ９へ進む。このとき、スロットマシン１では、第２ストップボタン４１ｂの操作により第２のリール２１ｂが停止された状態となる。
【０１０１】
一方、ステップＳ８において、所定時間経過しても、操作信号入力部２１４に第２ストップボタン４１ｂからの操作信号が入力されない場合には、操作信号入力部２１４は作動制御部２１１に非操作状態信号を出力し、作動制御部２１１による（各電磁弁への）作動制御信号の出力を規制して試射試験が終了する。このとき、スロットマシン１では、第２ストップボタン４１ｂを操作したにもかかわらず、故障などの原因で第２ストップボタン４１ｂが操作信号を出力しない状態となっている。これにより、スロットマシン１における第２ストップボタン４１ｂの故障時に試射試験を自動的に停止することができる。
【０１０２】
ステップＳ９において、作動制御部２１１は第５伸長電磁弁２７２ａに電磁弁作動信号を出力し、第５操作装置１７０による第３ストップボタン４１ｃの操作を行う。このとき、レギュレータ１１１から第５伸長電磁弁２７２ａおよび第５伸長エアチューブ１７２ａを介して第５エアシリンダ１７１（基端側）に圧縮空気が供給され、第５エアシリンダ１７１が伸長作動するとともに、第５エアシリンダ１７１の第５当接部１７３が第３ストップボタン４１ｃに当接し、第３ストップボタン４１ｃが押し操作される。
【０１０３】
また、作動制御部２１１は、第５伸長電磁弁２７２ａに電磁弁作動信号を出力すると、所定時間経過後、第５伸長電磁弁２７２ａに電磁弁作動停止信号を出力するとともに、第５縮小電磁弁２７２ｂに電磁弁作動信号を出力し、第５エアシリンダ１７１を縮小作動させてステップＳ１０へ進む。このとき、レギュレータ１１１から第５縮小電磁弁２７２ｂおよび第５縮小エアチューブ１７２ｂを介して第５エアシリンダ１７１（先端側）に圧縮空気が供給され、第５エアシリンダ１７１が縮小作動して元に戻される。
【０１０４】
ステップＳ１０において、操作信号入力部２１４に第３ストップボタン４１ｃからの操作信号が入力されると、操作信号入力部２１４は作動制御部２１１に操作状態信号を出力し、ステップＳ１へ戻って再びステップＳ１〜Ｓ１０の処理が行われる。このとき、スロットマシン１では、第３ストップボタン４１ｃの操作により第３のリール２１ｃが停止し、これにより回転していた三つのリール２１ａ，２１ｂ，２１ｃが全て停止して、その後入賞図柄の判定等が行われ１回の遊技（ゲーム）が終了する。
【０１０５】
一方、ステップＳ１０において、所定時間経過しても、操作信号入力部２１４に第３ストップボタン４１ｃからの操作信号が入力されない場合には、操作信号入力部２１４は作動制御部２１１に非操作状態信号を出力し、作動制御部２１１による（各電磁弁への）作動制御信号の出力を規制して試射試験が終了する。このとき、スロットマシン１では、第３ストップボタン４１ｃを操作したにもかかわらず、故障などの原因で第３ストップボタン４１ｃが操作信号を出力しない状態となっている。これにより、スロットマシン１における第３ストップボタン４１ｃの故障時に試射試験を自動的に停止することができる。
【０１０６】
上述のようにして、スロットマシン１の操作部３７から操作信号が出力されなくなるまで、ステップＳ１〜Ｓ１０の処理が繰り返され、試射試験機１００によりスロットマシン１の試射試験が自動的に行われる。なお、所定回数だけ遊技（ゲーム）が行われると、試射試験が自動的に停止されるようにしてもよい。また、図示しない停止スイッチを操作することで試射試験を停止させるようにしてもよい。
【０１０７】
また、試射試験時には、作動制御部２１１から第１伸長電磁弁２５２ａへ出力された電磁弁作動信号が計数装置２０２へ入力され、計数装置２０２によりスロットマシン１の遊技回数が計数される。さらに、外部集中端子基板２６から出力された遊技情報が計数装置２０２に入力され、計数装置２０２により、遊技メダルの投入枚数および払出枚数、そして、レギュラーボーナスの当選回数およびビッグボーナスの当選回数が計数される。
【０１０８】
なお、ステップＳ５〜Ｓ１０において、第１〜第３ストップボタン４１ａ，４１ｂ，４１ｃを順に操作しているが、サブ制御基板３４から特定ランプ点灯信号が出力されて遊技状態入力部２１３に入力された場合には、この特定ランプ点灯信号に応じたリール２１ａ，２１ｂ，２１ｃの停止順となるように、各ストップボタン４１ａ，４１ｂ，４１ｃが操作される。
【０１０９】
例えば、ステップＳ５において、サブ制御基板３４からの特定ランプ点灯信号が遊技状態入力部２１３に入力され、入力された特定ランプ点灯信号が第２のリール２１ｂを停止させるための信号である場合には、作動制御部２１１は第４伸長電磁弁２６７ａに電磁弁作動信号を出力し、第４操作装置１６５による第２ストップボタン４１ｂの操作を行う。そして、ステップＳ６において、第２ストップボタン４１ｂから操作信号が出力されたかどうかの判定を行う。
【０１１０】
また例えば、ステップＳ７において、サブ制御基板３４からの特定ランプ点灯信号が遊技状態入力部２１３に入力され、入力された特定ランプ点灯信号が第３のリール２１ｃを停止させるための信号である場合には、作動制御部２１１は第５伸長電磁弁２７２ａに電磁弁作動信号を出力し、第５操作装置１７０による第３ストップボタン４１ｃの操作を行う。そして、ステップＳ８において、第３ストップボタン４１ｃから操作信号が出力されたかどうかの判定を行う。
【０１１１】
さらに例えば、ステップＳ９において、サブ制御基板３４からの特定ランプ点灯信号が遊技状態入力部２１３に入力され、入力された特定ランプ点灯信号が第１のリール２１ａを停止させるための信号である場合には、作動制御部２１１は第３伸長電磁弁２６２ａに電磁弁作動信号を出力し、第３操作装置１６０による第１ストップボタン４１ａの操作を行う。そして、ステップＳ１０において、第１ストップボタン４１ａから操作信号が出力されたかどうかの判定を行う。
【０１１２】
このように、作動制御部２１１がスロットマシン１のサブ制御基板３４から出力された特定ランプ点灯信号（遊技情報信号）に応じて各電磁弁に電磁弁作動信号を出力するため、スロットマシン１（サブ制御基板３４）から出力される情報（遊技情報信号）に応じた操作を自動的に行うことができ、スロットマシン１に対する試射試験の自動化が可能となる。
【０１１３】
なお、通常のステップＳ５〜Ｓ１０において、第１〜第３ストップボタン４１ａ，４１ｂ，４１ｃを順に操作しているが、これに限られるものではなく、各ストップボタン４１ａ，４１ｂ，４１ｃをランダムに（１回ずつ）操作するようにしてもよい。
【０１１４】
以上のような構成のスロットマシン１の試射試験機１００によれば、スロットマシン１のサブ制御基板３４から出力された特定ランプ点灯信号（遊技情報信号）に応じて各電磁弁（操作装置１０５）に電磁弁作動信号（作動制御信号）を出力する作動制御部２１１を備えて構成されるため、スロットマシン１（サブ制御基板３４）から出力される情報（遊技情報信号）に応じた操作を自動的に行うことができ、スロットマシン１に対する試射試験の自動化が可能となる。
【０１１５】
また、作動制御部２１１から出力された電磁弁作動信号（作動制御信号）に対応する（操作部３７の）操作信号が操作信号入力部２１４において非入力状態になると、操作信号入力部２１４が作動制御部２１１による電磁弁作動信号（作動制御信号）の出力を規制するため、スロットマシン１における操作部３７の故障時に試射試験を自動的に停止することができる。
【０１１６】
さらに、試射試験機１００によるスロットマシン１の遊技回数を計数可能な計数装置２０２を備えて構成されることで、試射試験におけるスロットマシン１の遊技回数を随時認識することができる。
【０１１７】
また、操作装置１０５が空気圧を利用して作動するエアシリンダを有して構成されることで、試射試験機１００（操作装置１０５）のメンテナンスを簡易にすることができる。
【０１１８】
なお、上述の実施形態において、操作信号入力部２１４は、作動制御部２１１による（各電磁弁への）作動制御信号の出力を規制可能な作動規制部として機能しているが、これに限られるものではなく、このような作動規制部を別途設けるようにしてもよい。
【０１１９】
また、上述の実施形態において、各エアシリンダの伸長作動によりスロットマシン１の操作部３７を押し操作するように構成されているが、これに限られるものではなく、例えば、スタートレバー４０の揺動操作等に対しては、エアシリンダの縮小作動により操作部を引き操作するようにしてもよい。
【０１２０】
さらに、上述の実施形態において、操作装置１０５が空気圧を利用して作動するエアシリンダを有して構成されているが、これに限られるものではなく、空気圧を利用して作動するロータリーアクチュエータや、ロータリーチャックを用いるようにしてもよい。
【０１２１】
また、上述の実施形態において、サブ制御基板３４は、押し順タイプのアシストタイムの抽選を行っているが、これに限られるものではなく、サブ制御基板３４が目押しタイプのアシストタイムの抽選を行う場合にも本発明を適用することができる。なおこのとき、リールユニット２２に設けられたリールセンサ（図示せず）の検出信号を遊技状態入力部２１３に入力し、この検出信号を利用して特定図柄の位置を把握することで、各ストップボタン４１ａ，４１ｂ，４１ｃの操作を行うようにすればよい。
【０１２２】
さらに、上述の実施形態において、スロットマシン１の試射試験を行う試射試験機１００を例に説明しているが、これに限られるものではなく、例えば、アーケードゲーム機等、操作部を有する遊技機に対して本発明を適用することができる。
【０１２３】
また、上述の実施形態において、筐体部１００の底部に、スロットマシン１を前後方向へ移動可能に支持する複数のローラを設けるようにしてもよい。このようにすれば、遊技機収容部１０１に対するスロットマシン１の出し入れをより容易に行うことができる。
【図面の簡単な説明】
【０１２４】
【図１】本発明に係る試射試験機を用いて試射試験を行うスロットマシン（遊技機）の正面図である。
【図２】上記スロットマシンにおけるフロントドアを取り外した状態を示す正面図である。
【図３】本発明に係る試射試験機の斜視図である。
【図４】上記試射試験機の平面図である。
【図５】上記試射試験機の拡大斜視図である。
【図６】上記試射試験機の拡大平面図である。
【図７】上記試射試験機に構成される扉部を裏面側から見た斜視図である。
【図８】扉部の拡大背面図である。
【図９】上記試射試験機に構成される制御装置の概要を示すブロック図である。
【図１０】上記試射試験機により試射試験を行う処理を示すフローチャートである。
【符号の説明】
【０１２５】
１  スロットマシン（遊技機）
３７  操作部
３９ａ  第１ベットボタン
３９ｂ  第２ベットボタン
４０    スタートレバー
４１ａ  第１ストップボタン
４１ｂ  第２ストップボタン
４１ｃ  第３ストップボタン
１００  試射試験機
１０１  遊技機収容部
１０５  操作装置
１０８  操作装置保持部
１１０  筐体部
１１２  電磁弁ユニット
１２１  左押さえブロック（固定保持部）
１２２  右押さえブロック（固定保持部）
１２３  後ろ押さえブロック（固定保持部）
１３０  扉部
１３１  左レール（１３１ａ  左レール溝）
１３３  右レール（１３３ａ  右レール溝）
１３５  上レール（１３５ａ  上レール溝）
１３７  下レール（１３７ａ  下レール溝）
１３９  中間レール（１３９ａ  中間レール溝）
１５０  第１操作装置
１５１  第１エアシリンダ
１５２ａ  第１伸長エアチューブ（エア供給路）
１５２ｂ  第１縮小エアチューブ（エア供給路）
１５５  第２操作装置
１５６  第２エアシリンダ
１５７ａ  第２伸長エアチューブ（エア供給路）
１５７ｂ  第２縮小エアチューブ（エア供給路）
１６０  第３操作装置
１６１  第３エアシリンダ
１６２ａ  第３伸長エアチューブ（エア供給路）
１６２ｂ  第３縮小エアチューブ（エア供給路）
１６５  第４操作装置
１６６  第４エアシリンダ
１６７ａ  第４伸長エアチューブ（エア供給路）
１６７ｂ  第４縮小エアチューブ（エア供給路）
１７０  第５操作装置
１７１  第５エアシリンダ
１７２ａ  第５伸長エアチューブ（エア供給路）
１７２ｂ  第５縮小エアチューブ（エア供給路）
１８０  第１保持部材（１８０ａ  長穴）
１８１  第１前後レール（１８１ａ  第１前後レール溝）
１８３  六角穴付きボルト（締結部材）
１８４  角形ナット（締結部材）
１８５  第２保持部材
１８６  第２前後レール（１８６ａ  第２前後レール溝）
１９０  第３保持部材
１９１  第３前後レール（１９１ａ  第３前後レール溝）
１９３  第４保持部材
１９４  第４前後レール（１９４ａ  第４前後レール溝）
１９６  第５保持部材
１９７  第５前後レール（１９７ａ  第５前後レール溝）
２０１  制御装置
２０２  計数装置
２１１  作動制御部
２１３  遊技状態入力部
２１４  操作信号入力部
２５２ａ  第１伸長電磁弁
２５２ｂ  第１縮小電磁弁
２５７ａ  第２伸長電磁弁
２５７ｂ  第２縮小電磁弁
２６２ａ  第３伸長電磁弁
２６２ｂ  第３縮小電磁弁
２６７ａ  第４伸長電磁弁
２６７ｂ  第４縮小電磁弁
２７２ａ  第５伸長電磁弁
２７２ｂ  第５縮小電磁弁
【図１】
2005348958.tif 000003
【図２】
2005348958.tif 000004
【図３】
2005348958.tif 000005
【図４】
2005348958.tif 000006
【図５】
2005348958.tif 000007
【図６】
2005348958.tif 000008
【図７】
2005348958.tif 000009
【図８】
2005348958.tif 000010
【図９】
2005348958.tif 000011
【図１０】
2005348958.tif 000012